(57)【特許請求の範囲】
【請求項１】
情報処理のための方法であって：
ランク付けされたアナウンス情報リストから端末によって予めプルされたアナウンス情報に基づいて、情報処理用デバイスが、該端末によって対話型プラットフォームにアップロードされた対話操作指示情報を取得するステップであって、前記対話操作指示情報は前記アナウンス情報に関連付けられている、ステップと；
前記情報処理用デバイスが、前記対話操作指示情報に対応する対話操作データを取得するステップと；
前記情報処理用デバイスが、前記ランク付けされたアナウンス情報リスト内の前記アナウンス情報のランキング情報を、前記対話操作データに基づいて更新するステップと；
前記情報処理用デバイスが、前記対話操作指示情報内の第１ユーザ識別子を取得し、前記第１ユーザ識別子に関連付けられる第２ユーザ識別子を見つけるステップであって、前記第１ユーザ識別子は、前記対話型プラットフォームにログインするために構成されるステップと；
前記第２ユーザ識別子で前記対話型プラットフォームにログインするときに、前記アナウンス情報をプルしたことに応答して、前記対話操作指示情報を個人情報から取得するために、前記情報処理用デバイスが、前記第２ユーザ識別子に対応する個人情報に前記対話操作指示情報を書き込むステップと；
を具備し、
前記アナウンス情報は、前記ランキング情報に基づいて前記ランク付けされたアナウンス情報リストからプルされ、前記ランキング情報は、プル確率及びランキング位置を備え、前記プル確率は、前記ランキング位置に基づいて設定され、前記アナウンス情報が前記端末によって前記ランク付けされたアナウンス情報リストからプルされる順番は、前記ランキング位置に基づいて決定される、
方法。
【請求項２】
前記端末によって予めプルされたアナウンス情報に基づいて、前記端末によって対話型プラットフォームにアップロードされた、前記アナウンス情報に関連付けられている対話操作指示情報を取得するステップの前に、当該方法は：
前記情報処理用デバイスが、前記端末から前記アナウンス情報についてのプル要求を取得するステップと、前記ランク付けされたアナウンス情報リスト内の前記アナウンス情報の前記ランキング情報に基づいて前記アナウンス情報を前記端末に送信するステップと、
を更に備える、請求項１に記載の方法。
【請求項３】
前記端末から前記アナウンス情報についてのプル要求を取得するステップと、前記ランク付けされたアナウンス情報リスト内の前記アナウンス情報のランキング情報に基づいて前記アナウンス情報を前記端末に送信するステップの前に、当該方法は：
前記情報処理用デバイスが、プッシュするよう要求される前記アナウンス情報を取得するステップと、前記ランク付けされたアナウンス情報リストを生成するために、前記アナウンス情報の属性情報に基づいて前記アナウンス情報をソートしてランク付けするステップと、
を更に備え、前記属性情報は、所定のプッシュ条件と履歴評価属性値を備える、
請求項２に記載の方法。
【請求項４】
前記ランク付けされたアナウンス情報リスト内の前記アナウンス情報のランキング情報を、前記対話操作データに基づいて更新するステップは：
前記情報処理用デバイスが、前記対話操作データに基づいて前記アナウンス情報の対話スコアを計算し、前記アナウンス情報以外の前記ランク付けされたアナウンス情報リスト内の残りのアナウンス情報の各々の前記対話スコアを順次取得するステップと；
前記情報処理用デバイスが、前記アナウンス情報の前記対話スコアと前記残りのアナウンス情報の各々の前記対話スコアとに基づいて、前記アナウンス情報の対話係数を算出するステップと；
前記情報処理用デバイスが、前記アナウンス情報の前記対話係数と履歴評価属性値とに基づいて、前記アナウンス情報の情報評価スコアを算出するステップと；
前記情報処理用デバイスが、前記アナウンス情報の前記情報評価スコアと前記残りのアナウンス情報の各々の情報評価スコアとに基づいて、前記ランク付けされたアナウンス情報リスト内の前記アナウンス情報のランキング情報を更新するステップと；
を備える、請求項１乃至３のいずれか一項に記載の方法。
【請求項５】
情報処理のためのデバイスであって：
ランク付けされたアナウンス情報リストから端末によって予めプルされたアナウンス情報に基づいて、前記端末によって対話型プラットフォームにアップロードされた対話操作指示情報を取得するように構成される情報取得ユニットであって、前記対話操作指示情報は前記アナウンス情報に関連付けられている、情報取得ユニットと；
前記対話操作指示情報に対応する対話操作データを取得するように構成されるデータ取得ユニットと；
前記ランク付けされたアナウンス情報リスト内の前記アナウンス情報のランキング情報を、前記対話操作データに基づいて更新するように構成される、情報更新ユニットと；
前記対話操作指示情報内の第１ユーザ識別子を取得し、前記第１ユーザ識別子に関連付けられる第２ユーザ識別子を見つけるように構成される識別子発見ユニットであって、前記第１ユーザ識別子は、前記対話型プラットフォームにログインするために構成される、識別子発見ユニットと；
前記第２ユーザ識別子で前記対話型プラットフォームにログインするときに、前記アナウンス情報をプルしたことに応答して、前記対話操作指示情報を個人情報から取得するために、前記第２ユーザ識別子に対応する個人情報に前記対話操作指示情報を書き込むように構成される情報書込みユニットと；
を具備し、
前記アナウンス情報は、前記ランキング情報に基づいて前記ランク付けされたアナウンス情報リストからプルされ、前記ランキング情報は、プル確率及びランキング位置を備え、前記プル確率は、前記ランキング位置に基づいて設定され、前記アナウンス情報が前記端末によって前記ランク付けされたアナウンス情報リストからプルされる順番は、前記ランキング位置に基づいて決定される、
デバイス。
【請求項６】
前記端末から前記アナウンス情報についてのプル要求を取得し、前記ランク付けされたアナウンス情報リスト内の前記アナウンス情報の前記ランキング情報に基づいて前記アナウンス情報を前記端末に送信するように構成される、情報送信ユニット、
を更に備える、請求項５に記載のデバイス。
【請求項７】
プッシュするよう要求される前記アナウンス情報を取得し、前記ランク付けされたアナウンス情報リストを生成するために、前記アナウンス情報の属性情報に基づいて前記アナウンス情報をソートしてランク付けするように構成される、リスト生成ユニット、
を更に備え、前記属性情報は、所定のプッシュ条件と履歴評価属性値を備える、
請求項６に記載のデバイス。
【請求項８】
前記情報更新ユニットは：
前記対話操作データに基づいて前記アナウンス情報の対話スコアを計算し、前記アナウンス情報以外の前記ランク付けされたアナウンス情報リスト内の残りのアナウンス情報の各々の前記対話スコアを順次取得するように構成されるスコア取得サブユニットと；
前記アナウンス情報の前記対話スコアと前記残りのアナウンス情報の各々の前記対話スコアとに基づいて、前記アナウンス情報の対話係数を算出するように構成される係数算出サブユニットと；
前記アナウンス情報の前記対話係数と履歴評価属性値とに基づいて、前記アナウンス情報の情報評価スコアを算出するように構成される、スコア算出サブユニットと；
前記アナウンス情報の前記情報評価スコアと前記残りのアナウンス情報の各々の情報評価スコアとに基づいて、前記ランク付けされたアナウンス情報リスト内の前記アナウンス情報のランキング情報を更新するように構成される、情報更新サブユニットと；
を備える、請求項５乃至７のいずれか一項に記載のデバイス。
【発明の詳細な説明】
【技術分野】
【０００１】
本出願は、中国国家知識産権局に２０１５年４月２３日に出願された「METHOD  AND  DEVICE  FOR  INFORMATION  PROCESSING」という名称の中国特許出願第２0１５10196844.2号の優先権の利益を主張し、参照によってその全体が本明細書に組み込まれる。
【０００２】
（技術分野）
本出願は、インターネットの技術分野に関し、特に、情報処理のための方法及びデバイスに関する。
【背景技術】
【０００３】
インターネット技術の発展及び向上とともに、モバイルフォンやタブレットデバイスといった端末が、人々の生活の欠かせない部分となってきている。通信に加えて、端末はファイルを転送し、ビデオを記録し、ゲームをプレイ等するために使用されることがある。
【０００４】
技術の発展により、ユーザ間の対話は、端末を介して対話型プラットフォームで実現されることができる。さらに、アナウンス情報（announcement  information）（通知、広告等）が端末を介してプルされ、クリックするか又は見るためにユーザに提供されることがある。広告を例にとると、新たな広告をプッシュするとき、広告主はしばしば、広告について高い公開率を得るために、ランキングリスト内のその広告のランキング位置を上げるよう、より高い入札価格を提示する必要がある。このことは、悪質な競争につながる傾向があり、これにより、広告等のアナウンス情報の効果に影響を与え、アナウンス情報のプッシュコストを増加させ、アナウンス情報のプッシュ閾値（pushing  threshold）を上げることになる。
【発明の概要】
【発明が解決しようとする課題】
【０００５】
アナウンス情報の効果を改善し、アナウンス情報のプッシュコストを低減し、アナウンス情報のプッシュ閾値を低下させるために、本開示の実施形態に係る情報処理のための方法及びデバイスが提供される。
【課題を解決するための手段】
【０００６】
第１の側面において、本開示の実施形態に係る情報処理のための方法が提供される。当該方法は：
ランク付けされたアナウンス情報リストから端末によって予めプルされたアナウンス情報に基づいて、端末によって対話型プラットフォーム上にアップロードされた対話操作指示情報（interactive  operation  indication  information）を取得するステップであって、対話操作指示情報はアナウンス情報に関連付けられている、ステップと；
対話操作指示情報に対応する対話操作データを取得するステップと；
ランク付けされたアナウンス情報リスト内のアナウンス情報のランキング情報を、対話操作データに基づいて更新するステップと；
を含み、
アナウンス情報は、ランキング情報に基づいて、ランク付けされたアナウンス情報リストから受動的にプルされ、ランキング情報は、プル確率及びランキング位置のうちの少なくとも一方を含む。
【０００７】
第２の側面において、本開示の実施形態に係る情報処理のためのデバイスが提供される。当該デバイスは：
ランク付けされたアナウンス情報リストから端末によって予めプルされたアナウンス情報に基づいて、端末によって対話型プラットフォーム上にアップロードされた対話操作指示情報を取得するように構成される情報取得ユニットであって、対話操作指示情報はアナウンス情報に関連付けられている、情報取得ユニットと；
対話操作指示情報に対応する対話操作データを取得するように構成されるデータ取得ユニットと；
ランク付けされたアナウンス情報リスト内のアナウンス情報のランキング情報を、対話操作データに基づいて更新するように構成される、情報更新ユニットと；
を含み、
アナウンス情報は、ランキング情報に基づいて、ランク付けされたアナウンス情報リストから受動的にプルされ、ランキング情報は、プル確率及びランキング位置のうちの少なくとも一方を含む。
【０００８】
本開示の諸実施形態では、ランク付けされたアナウンス情報リストから端末によって予めプルされたアナウンス情報に基づいて、端末によって対話型プラットフォーム上にアップロードされた対話操作指示情報が取得され、対話操作指示情報がアナウンス情報に関連付けられる。対話操作指示情報に対応する対話操作データが取得される。ランク付けされたアナウンス情報リスト内のアナウンス情報のランキング情報が、対話操作データに基づいて更新される。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。
【図面の簡単な説明】
【０００９】
実施形態の説明で使用される添付の図面は、本発明の実施形態に係る技術的な解決策がより明らかになるように、以下のように簡潔に説明される。以下の説明における添付の図面が本開示の一部の実施形態に過ぎないことは明らかである。当業者には、いずれの創作的な作業も必要とせずにこれらの添付の図面に従って他の添付図面を得ることが可能である。
【００１０】
【図１】本開示の実施形態に係る情報処理方法を示す概略的なフローチャートである。
【００１１】
【図２】本開示の実施形態に係る別の情報処理方法を示す概略的なフローチャートである。
【００１２】
【図３】本開示の実施形態に係る情報処理用デバイスを示す概略的な構造図である。
【００１３】
【図４】本開示の実施形態に係る情報更新ユニットを示す概略的な構造図である。
【００１４】
【図５】本開示の実施形態に係る別の情報処理方法を示す概略的な構造図である。
【００１５】
【図６】本開示の実施形態に係る別の情報処理方法を示す概略的な構造図である。
【発明を実施するための形態】
【００１６】
本開示の実施形態に係る技術的解決策を、図面に関連して詳細に説明する。開示される実施形態は、本開示の実施形態の全ての実施形態ではなく、幾つかの実施形態であることは明らかである。創作的な作業なしに本開示の実施形態に基づいて当業者によって得られる他の実施形態は、本開示の範囲内にある。
【００１７】
本開示の実施形態に係る情報処理のための方法は、ランク付けされたリスト内の広告や通知といったアナウンス情報のランキング情報が更新され調整されるシナリオに適用されてよい。例えば情報処理用デバイスは、ランク付けされたアナウンス情報リストから端末によって予めプルされたアナウンス情報に基づいて、端末によって対話型プラットフォーム上にアップロードされた対話操作指示情報を取得する。対話操作指示情報は、アナウンス情報に関連付けられている。情報処理用デバイスは、対話操作指示情報に対応する対話操作データを取得することができる。情報処理用デバイスは、ランク付けされたアナウンス情報リスト内のアナウンス情報のランキング情報を対話操作データに基づいて更新することができる。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。
【００１８】
本開示の実施形態に係る情報処理用デバイスは、限定ではないが、端末によって対話型プラットフォームにアップロードされる対話操作指示情報、保守アナウンス（maintenance  announcement）情報、ランク付けされたリスト等を取得する能力を有するサーバを含む、バックグラウンドサーバであってもよい。端末は、タブレットコンピュータ、スマートフォン、ラップトップ、パルムトップコンピュータ、パーソナルコンピュータ及びモバイルインターネットデバイス（MID）等のように、アナウンス情報に対する対話操作を実行する能力を有する端末デバイスを含むことができる。好ましくは、対話型プラットフォームは、インスタントメッセージングアプリケーション用の対話型プラットフォームである。アナウンス情報は、広告又は通知のように、アナウンスオペレータによって所定のユーザグループにプッシュされるグループ情報であってよい。具体的には、アナウンス情報は、特定のランキング情報に基づいてランク付けされたアナウンス情報リストから受動的にプルされてよい。ランキング情報は、プル確率とランキング位置の少なくとも一方を含む。
【００１９】
本開示の実施形態に係る情報処理方法は、図１及び図２に関連して詳細に説明される。
【００２０】
本開示の実施形態に係る情報処理方法を示す概略的なフローチャートである図１を参照する。図１に図示されるように、本開示の実施形態に係る方法は、次のようなステップS101からS103を含んでよい。
【００２１】
ステップS101において、ランク付けされたアナウンス情報リストから端末によって予めプルされたアナウンス情報に基づいて、対話型プラットフォーム上に端末によってアップロードされた対話操作指示情報が取得される。対話操作指示情報は、アナウンス情報に関連付けられる。
【００２２】
具体的には、ランク付けされたアナウンス情報リストから端末によって予めプルされたアナウンス情報に基づいて、ユーザは、端末を介してアナウンス情報に対して対話操作を行ってよい。対話操作は、例えばアナウンス情報の下の所定の位置にコメントを入力すること、アナウンス情報について関心識別子（concern  identifier）を追加すること、アナウンス情報に関心を持つ（concern）よう関心識別子をクリックすること等を含む。端末は、対話操作に基づいて、アナウンス情報に関連付けられる対話操作指示情報を生成することができる。対話操作指示情報は、特に、ユーザによるアナウンス情報に対する対話操作に応答して生成される記録情報であってよい。例えばアナウンス情報の下の所定の位置でコメントを入力したことに応答して、１つのコメントの記録情報が生成されてよい。対話操作指示情報は、端末によって対話型プラットフォームにアップロードされ、次いで、端末によってアップロードされた対話型プラットフォーム上の対話操作指示情報が、情報処理用デバイスによって取得されてよい。
【００２３】
ステップS102において、対話操作指示情報に対応する対話操作情報を取得する。
【００２４】
具体的には、情報処理用デバイスは、対話操作指示情報に対応する対話操作データを取得してもよい。アナウンス情報に関連付けられる対話操作指示情報の各々は、対応する対話操作データを有することが理解されよう。例えばアナウンス情報の下の所定の位置にコメントを入力することに対応する対話操作データは、アナウンス情報の関心識別子を追加することに対応するものと同じである可能性がある。実際的には、コメント及び関心識別子に対して異なる対話操作データを設定して、これらの重みを区別できるようにし、コメントに対応する対話操作データを、関心識別子に対応するものより大きくするべきである。
【００２５】
ステップS103において、対話操作データに基づいて、ランク付けされたアナウンス情報リスト内のアナウンス情報のランキング情報が更新される。
【００２６】
具体的には、情報処理用デバイスは、対話操作データに基づいて、ランク付けされたアナウンス情報リストのアナウンス情報のランキング情報を更新してもよい。さらに、情報処理用デバイスは、対話操作データに基づいてアナウンス情報の対話スコアを算出し、そのアナウンス情報以外のアナウンス情報のランク付けリスト内の残りのアナウンス情報の各々の対話スコアを順次取得してもよい。情報処理用デバイスは、アナウンス情報の対話スコアと残りのアナウンス情報の各々の対話スコアとに基づいて、アナウンス情報の対話係数を算出してもよい。情報処理用デバイスは、対話係数と、アナウンス情報の履歴評価属性値（historical  evaluation  attribute  value）とに基づいて、アナウンス情報の情報評価スコアを算出してもよい。情報処理用デバイスは、アナウンス情報の情報評価スコアと残りのアナウンス情報の各々の情報評価スコアとに基づいて、ランク付けされたアナウンス情報リストのアナウンス情報のランキング情報を更新し、ステップS101の実行に移行してもよい。ランキング情報は、具体的には、アナウンス情報のプル確率（pulling  probability）と、ランク付けされたリストにおけるアナウンス情報のランキング位置のうちの少なくとも一方を含んでよい。具体的には、プル確率は、アナウンス情報が端末によってプルされる確率として表される。
【００２７】
本開示の実施形態では、ランク付けされたアナウンス情報リストから端末によって予めプルされたアナウンス情報に基づいて、端末によってアップロードされた対話型プラットフォーム上の対話操作指示情報が取得され、この場合、対話操作指示情報はアナウンス情報に関連付けられている。対話操作指示情報に対応する対話操作データが取得される。ランク付けされたアナウンス情報リスト内のアナウンス情報のランキング情報は、この対話操作データに基づいて更新される。対話操作指示情報に対応する対話操作データが追加され、ランク付けされたアナウンス情報リスト内のアナウンス情報のランキング情報が対話操作データに基づいて更新され、これにより、ユーザの対話操作を用いることによりアナウンス情報のランキング情報に影響を与え、したがって、入札価格によりアナウンス情報のランク付けに影響を与えることによって生じる悪質な競争を回避することができる。さらに、アナウンス情報の効果が向上し、アナウンス情報のプッシュコストが低減され、アナウンス情報のプッシュ閾値が低くなる。
【００２８】
本開示の一実施形態に係る別の情報処理方法を示す概略フローチャートである図２を参照する。図２に示すように、本開示の方法は、次のようにステップS201からステップS210を含んでよい。
【００２９】
ステップS201において、プッシュするよう要求されたアナウンス情報が取得され、アナウンス情報のランク付けリストを生成するように、アナウンス情報の属性情報に基づいてアナウンス情報がソートされ、ランク付けされる。
【００３０】
具体的には、新たなアナウンス情報をプッシュするよう要求された場合、情報処理用デバイスは、ランク付けされたアナウンス情報リストを生成するために、プッシュするよう要求されたアナウンス情報を取得して、アナウンス情報の属性情報に基づいてアナウンス情報をソートしてランク付けする。属性情報は、所定のプッシュ条件（pushing  condition）と履歴評価属性値とを含む。所定のプッシュ条件は、例えば20歳から30歳までのユーザグループや男性のユーザグループ等のアナウンス情報をプッシュすべき、大まかに決定されるユーザグループを指す。履歴評価属性値は、アナウンス情報等の履歴クリック率として表される。実際には、新しいアナウンス情報については履歴クリック率等の履歴評価属性値は存在せず、したがって、新しいアナウンス情報の属性情報には、アナウンス情報の入札価格等が含まれてもよい。情報処理用デバイスは、所定のプッシュ条件に基づいてアナウンス情報をソートし、履歴評価属性値及び入札価格に基づいてアナウンス情報をランク付けし、最終的にランク付けされたアナウンス情報リストを生成する。ランク付けされたアナウンス情報リストは、アナウンス情報だけでなく、同じ又は近似した所定のプッシュ条件下の他のアナウンス情報（以下、「残りアナウンス情報」と略記する）も含む。
【００３１】
ステップS202において、端末からアナウンス情報のプル要求を取得し、ランク付けされたアナウンス情報リストのアナウンス情報のランキング情報に基づいてアナウンス情報を端末に送信する。
【００３２】
具体的には、情報処理用デバイスは、端末からプル要求を取得し、ランク付けされたアナウンス情報リスト内のアナウンス情報のランキング情報に基づいて、アナウンス情報を端末に送信してもよい。ランキング情報は、プル確率及びランキング位置のうちの少なくとも一方を含んでよい。プル確率については、情報処理用デバイスは、履歴評価属性値と入札価格とに基づいて、アナウンス情報の初期情報評価スコアを取得してもよい。あるいは、後に追加される対話操作指示情報に対応する対話操作データに基づき算出されるアナウンス情報の情報評価スコアに基づいて、あるいは初期情報評価スコアに基づいて、情報処理用デバイスは、アナウンス情報のランク付けされたリスト内のアナウンス情報のスコアの占有割合（occupied  proportion）を決定し、該占有割合に基づいて、アナウンス情報のプル確率を設定する。ランキング位置について、情報処理用デバイスは、履歴評価属性値と入札価格とに基づいて、アナウンス情報の初期情報評価スコアを取得してもよい。あるいは、後に追加される対話操作指示情報に対応する対話操作データに基づき算出されるアナウンス情報の情報評価スコアに基づいて、又は初期情報評価スコアに基づいて、情報処理用デバイスは、ランク付けされたアナウンス情報リスト内のアナウンス情報のスコアのランキングを決定し、ランキング位置に基づいて端末によるアナウンス情報のプルする順番（pulling  sequence）を決定するためにランキング位置を順番に割り当てる。プル確率及びランキング位置について、情報処理用デバイスは、履歴評価属性値及び入札価格に基づいて、アナウンス情報の初期情報評価スコアを取得してもよい。あるいは、後に追加される対話操作指示情報に対応する対話操作データに基づき算出されたアナウンス情報の情報評価スコア、又は初期情報評価スコアに基づいて、情報処理用デバイスは、ランク付けされたアナウンス情報リスト内のアナウンス情報のスコアのランキングを決定し、ランキング位置を順番に割り当てて、ランキング位置に基づいてアナウンス情報のプル確率を設定する。例えばアナウンス情報が第１位にランク付けされている場合、プル確率は５０％あり、アナウンス情報が第２位にランク付けされている場合にはプル確率は３０％であり、他も同様である。プル確率は特に、アナウンス情報が端末によってプルされる可能性がある確率として表される。
【００３３】
ステップS203において、ランク付けされたアナウンス情報リストから端末によって予めプルされたアナウンス情報に基づいて、対話型プラットフォーム上に端末によってアップロードされた対話操作指示情報を取得する。対話操作指示情報は、アナウンス情報に関連付けられる。
【００３４】
具体的には、ランク付けされたアナウンス情報リストから端末によって予めプルされたアナウンス情報に基づいて、ユーザは、端末を介してアナウンス情報に対して対話操作を行うことができる。対話操作は、例えばアナウンス情報の下の所定の位置にコメントを入力すること、アナウンス情報の関心識別子を追加すること、アナウンス情報に関心を持つよう関心識別子をクリックすること等を含む。端末は、対話操作に基づいてアナウンス情報に関連付けられる対話操作指示情報を生成することができる。対話操作指示情報は、具体的には、ユーザによるアナウンス情報の対話操作に応答して生成される記録情報であってよい。例えばアナウンス情報の下の所定の位置にコメントを入力したことに応答して、１つのコメントの記録情報を生成してもよい。対話操作指示情報は、端末によって対話型プラットフォームにアップロードされてよく、端末によって対話型プラットフォーム上にアップロードされた対話操作指示情報は、情報処理用デバイスによって取得されてもよい。
【００３５】
ステップS204において、対話操作指示情報に対応する対話操作データを取得する。
【００３６】
具体的には、情報処理用デバイスは、対話操作指示情報に対応する対話操作データを取得してもよい。アナウンス情報に関連付けられる対話操作指示情報の各々は、対応する対話操作データを有することが理解されるべきである。例えばアナウンス情報の下の所定の位置にコメントを入力することに対応する対話操作データは、アナウンス情報の関心識別子を追加することに対応するものと同じである可能性がある。実際には、コメント及び関心識別子に対して異なる対話操作データを設定して、これらの重みを区別できるようにし、コメントに対応する対話操作データを、関心識別子に対応するものより大きくするべきである。
【００３７】
ステップS205において、アナウンス情報の対話スコアが対話操作データに基づいて算出され、そのアナウンス情報以外のランク付けされたアナウンス情報リスト内の残りのアナウンス情報の各々の対話スコアを順次取得する。
【００３８】
具体的には、情報処理用デバイスは、対話操作データに基づいて、アナウンス情報の対話スコアを算出し、そのアナウンス情報以外のランク付けされたアナウンス情報リストにおける残りのアナウンス情報の各々の対話スコアを順次取得してよい。アナウンス情報は、複数の端末によって取得されてもよいので、複数の端末を使用する複数のユーザが、アナウンス情報に対して別々に対話操作を実行してもよいことを理解されたい。したがって、情報処理用デバイスは、対話操作指示情報に対して統計処理（statistics）を行って、所定の間隔で全ての対話操作指示情報の統計値に対応する対話操作データの１つ以上を取得してもよいし、対話操作指示情報を受信した後に対応する対話操作データを取得してもよい。情報処理用デバイスは、取得した対話操作データの全てに対して集計処理を実行して対話スコアを取得し、同様に、ランク付けされたアナウンス情報リスト内のそのアナウンス情報以外の残りのアナウンス情報の各々の対話スコアを取得してもよい。
【００３９】
ステップS206において、アナウンス情報の対話係数が、アナウンス情報の対話スコアと残りのアナウンス情報の各々の対話スコアに基づいて算出される。
【００４０】
具体的には、情報処理用デバイスは、アナウンス情報の対話スコアと、残りのアナウンス情報の各々の対話スコアとに基づいて、アナウンス情報の対話係数を算出する。例えばN件（pieces）のアナウンス情報が存在する場合、アナウンス情報の対話スコアはそれぞれScore1，Score2，．．．，ScoreNであり、各アナウンス情報の対話係数δsnsは、
【数１】
0006522129.tif 000002
であってよい。
【００４１】
ステップS207において、アナウンス情報の対話係数と履歴評価属性値に基づいて、アナウンス情報の情報評価スコアを算出する。
【００４２】
具体的には、情報処理用デバイスは、アナウンス情報の対話係数と履歴評価属性値に基づいて、アナウンス情報の情報評価スコアを算出する。好ましくは、情報評価スコア＝履歴評価属性値＊対話係数＋（入札価格）である。対話係数を追加することによって新たな情報評価スコアを取得して、新たな情報評価スコアを初期の情報評価スコアから区別することができ、情報評価スコアに基づいてアナウンス情報をより客観的に評価することができる。
【００４３】
ステップS208において、ランク付けされたアナウンス情報リスト内のアナウンス情報のランキング情報を、アナウンス情報の情報評価スコアと残りのアナウンス情報の各々の情報評価スコアとに基づいて更新する。
【００４４】
具体的には、情報処理用デバイスは、ランク付けされたアナウンス情報リスト内のアナウンス情報のランキング情報を、アナウンス情報の情報評価スコアと残りのアナウンス情報の各々の情報評価スコアとに基づいて更新し、ステップS202に移ってよい。
【００４５】
ステップS209において、対話操作指示情報内で第１のユーザ識別子が取得され、第１のユーザ識別子に関連付けられる第２のユーザ識別子を見つけ、第１のユーザ識別子は対話型プラットフォーム上でログインするように構成される。
【００４６】
具体的には、対話操作指示情報は更に、対話型プラットフォーム上でログインするために使用される第１のユーザ識別子を含んでよい。情報処理用デバイスは第１のユーザ識別子を取得し、該第１のユーザ識別子に関連付けられる第２のユーザ識別子を見つけることができる。第２のユーザ識別子も、対話型プラットフォーム上でログインするために使用されるユーザ識別子であることが理解されよう。第１のユーザ識別子及び第２のユーザ識別子は、友人関係のように予め互いに関連付けられるユーザ識別子であってよい。第２のユーザ識別子は、少なくとも１つのユーザ識別子を含むことができる。第１のユーザ識別子及び第２のユーザ識別子のそれぞれは、好ましくはユーザ識別情報（ID）である。
【００４７】
ステップS210において、対話操作指示情報が第２のユーザ識別子に対応する個人情報に書き込まれる。
【００４８】
具体的には、情報処理用デバイスは、対話操作指示情報を第２のユーザ識別子に対応する個人情報に書き込むことができる。個人情報は、好ましくは、第２のユーザ識別子を保持するユーザの情報、又は第２のユーザ識別子に応じて予め設定される情報記憶空間である。第２のユーザ識別子に対応する個人情報に対話操作指示情報を書き込むことにより、第２のユーザ識別子を用いて対話型プラットフォームにログインする際にユーザがアナウンス情報をプルすると、個人情報から操作指示情報を取得して表示することができる。端末を使用するユーザは、対話操作やクリック操作といった対話操作指示情報を介して、アナウンス情報に参加している友人の操作を知ることができ、その結果、ユーザによるアナウンス情報の信頼度を高めることができ、アナウンス情報のクリック率及び参加度が向上する。また、対話操作指示情報が、予め第２のユーザ識別子に対応する個人情報に書き込まれるので、第２のユーザ識別子で対話型プラットフォームにログイン可能な端末はアナウンス情報をプルする際に、第１のユーザ識別子によって、アナウンス情報に対して実行される履歴対話操作指示情報をオンラインで見つけて取得する必要なく、対話操作指示情報をオフラインで直接取得する。これにより、アナウンス情報に対応する対話操作指示情報を取得する効率が向上し、オンラインでの発見に必要なリソースが節約される。
【００４９】
本開示の実施形態では、ランク付けされたアナウンス情報リストから端末によって予めプルされたアナウンス情報に基づいて、端末によって対話型プラットフォーム上にアップロードされた対話操作指示情報が取得される。対話操作指示情報はアナウンス情報に関連付けられている。対話操作指示情報に対応する対話操作データが取得される。ランク付けされたアナウンス情報リスト内のアナウンス情報のランキング情報は、対話操作データに基づいて更新される。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。対話係数に基づいて得られる情報評価スコアを加算することにより、アナウンス情報がより客観的に評価される。第２のユーザ識別子に対応する個人情報に対話操作指示情報を書き込むことにより、第２のユーザ識別子を用いて対話型プラットフォームにログインする際にユーザがアナウンス情報をプルすると、操作指示情報を個人情報から取得して表示することができる。端末を使用するユーザは、対話操作指示情報を介してアナウンス情報に参加している友人の操作を知ることができるので、ユーザによるアナウンス情報の信頼性が高まり、アナウンス情報のクリック率及び参加度が改善される。
【００５０】
本開示の実施形態に係る情報処理用デバイスは、図３〜図５を参照して以下で詳細に説明される。なお、図３〜図５に示される情報処理用デバイスは、図１及び図２に示すような本開示の実施形態に係る方法を実行するように構成されることに留意されたい。説明の目的で、本開示の実施形態に関連する部分のみが図示される。示されていない特定の技術的詳細については、図１及び図２に示される本開示の実施形態を参照してよい。
【００５１】
本開示の実施形態に係る情報処理用デバイスを示す概略的な構造図である図３を参照する。図３に図示されるように、本開示の一実施形態に係る情報処理用デバイス１は、情報取得ユニット１１、データ取得ユニット１２及び情報更新ユニット１３を含んでよい。
【００５２】
情報取得ユニット１１は、ランク付けされたアナウンス情報リストから端末によって予めプルされたアナウンス情報に基づいて、対話型プラットフォーム上で端末によってアップロードされた対話操作指示情報を取得するように構成される。対話操作指示情報はアナウンス情報に関連付けられている。
【００５３】
具体的な実装では、ランク付けされたアナウンス情報リストから端末によって予めプルされたアナウンス情報に基づいて、ユーザは端末を介してアナウンス情報に対して対話操作を実行することができる。対話操作は、例えばアナウンス情報の下の所定の位置にコメントを入力すること、アナウンス情報の関心識別子を追加すること、アナウンス情報に関心を持つよう関心識別子をクリックする等を含む。端末は、アナウンス情報に関連する対話操作指示情報を対話操作に基づいて生成することができる。対話操作指示情報は、具体的には、ユーザによるアナウンス情報の対話操作に応答して生成される記録情報であってよい。例えばアナウンス情報の下の所定の位置にコメントを入力したことに応答して、１つのコメントの記録情報を生成してもよい。対話操作指示情報は、端末によって対話型プラットフォームにアップロードされてよく、端末によって対話型プラットフォーム上にアップロードされた対話操作指示情報は、情報取得ユニット１１によって取得されてよい。
【００５４】
データ取得ユニット１２は、対話操作指示情報に対応する対話操作データを取得するように構成される。
【００５５】
具体的な実装では、データ取得ユニット１２は、対話操作指示情報に対応する対話操作データを取得してもよい。アナウンス情報に関連付けられる対話操作指示情報の各々は、対応する対話操作データを有することが理解されよう。例えばアナウンス情報の下の所定の位置にコメントを入力することに対応する対話操作データは、アナウンス情報の関心識別子を追加することに対応するものと同じである可能性がある。実際には、コメント及び関心識別子に対して異なる対話操作データを設定して、これらの重みを区別できるようにし、コメントに対応する対話操作データを、関心識別子に対応するものより大きくするべきである。
【００５６】
情報更新ユニット１３は、対話操作データに基づいて、ランク付けされたアナウンス情報リスト内のアナウンス情報のランキング情報を更新するように構成される。
【００５７】
具体的な実装では、情報更新ユニット１３は、対話操作データに基づいて、ランク付けされたアナウンス情報リスト内のアナウンス情報のランキング情報を更新してもよい。さらに、情報更新ユニット１３は、対話操作データに基づいて、アナウンス情報の対話スコアを算出し、アナウンス情報以外のランク付けされたアナウンス情報リスト内の残りのアナウンス情報の各々の対話スコアを順次取得してもよい。情報更新ユニット１３は、アナウンス情報の対話スコア及び残りのアナウンス情報の各々の対話スコアに基づいて、アナウンス情報の対話係数を算出してもよい。情報更新ユニット１３は、アナウンス情報の対話係数と履歴評価属性値に基づいて、アナウンス情報の情報評価スコアを算出してもよい。情報更新ユニット１３は、アナウンス情報の情報評価スコアと残りのアナウンス情報の各々の情報評価スコアとに基づいて、ランク付けされたアナウンス情報リストのアナウンス情報のランキング情報を更新してもよい。ランキング情報は、具体的には、アナウンス情報のプル確率と、ランク付けされたリスト内のアナウンス情報のランキング位置のうちの少なくとも一方を含むことができる。具体的には、プル確率は、アナウンス情報が端末によってプルされ得る確率として表される。更新した後、アナウンス情報が棚（shelves）の外に出されるまで、情報取得ユニット１１に、次回の対話操作指示情報を取得するよう通知してよい。
【００５８】
具体的には、本開示の一実施形態に係る情報更新部を示す概略的な構造図である図４を参照する。図４に図示されるように、情報更新ユニット１３は、スコア取得サブユニット１３１と、係数算出サブユニット１３２と、スコア算出サブユニット１３３と、情報更新サブユニット１３４とを含んでよい。
【００５９】
スコア取得サブユニット１３１は、対話操作データに基づいて、アナウンス情報の対話スコアを算出し、そのアナウンス情報以外のランク付けされたアナウンス情報リスト内の残りのアナウンス情報の各々の対話スコアを順次取得するように構成される。
【００６０】
具体的な実装では、スコア取得サブユニット１３１は、対話操作データに基づいて、アナウンス情報の対話スコアを算出し、そのアナウンス情報以外のランク付けされたアナウンスリスト内の残りのアナウンス情報の各々の対話スコアを順次に取得してもよい。アナウンス情報は、複数の端末によって取得されてよいので、複数の端末を使用する複数のユーザが、アナウンス情報に対して別々に対話操作を実行してもよいことを理解されたい。したがって、データ取得ユニット１２は、対話操作指示情報に対して統計を行って、所定の間隔で全ての対話操作指示情報の統計値に対応する対話操作データの１つ以上を取得してもよく、あるいは対話操作指示情報を受信した後に、対応する対話操作データを取得してもよい。スコア取得サブユニット１３１は、取得した対話操作データの全てに対して集計処理を実行して、アナウンス情報の対話スコアを取得し、同様に、ランク付けされたアナウンス情報リスト内のアナウンス情報以外の残りのアナウンス情報の各々の対話スコアを取得してよい。
【００６１】
係数算出サブユニット１３２は、アナウンス情報の対話係数を、アナウンス情報の対話スコアと、残りのアナウンス情報の各々の対話スコアとに基づいて算出するように構成される。
【００６２】
具体的な実装では、係数算出サブユニット１３２は、アナウンス情報の対話係数を、アナウンス情報の対話スコアと、残りのアナウンス情報の各々の対話スコアとに基づいて算出する。例えばN件のアナウンス情報が存在する場合、アナウンス情報の対話スコアはそれぞれScore1，Score2，．．．，ScoreNであり、各アナウンス情報の対話係数δsnsは、
【数２】
0006522129.tif 000003
であってよい。
【００６３】
スコア算出サブユニット１３３は、アナウンス情報の対話係数と履歴評価属性値に基づいて、アナウンス情報の情報評価スコアを算出するように構成される。
【００６４】
具体的な実装では、スコア算出サブユニット１３３は、アナウンス情報の対話係数と履歴評価属性値に基づいて、アナウンス情報の情報評価スコアを算出する。好ましくは、情報評価スコア＝履歴評価属性値＊対話係数＋（入札価格）である。対話係数を追加することによって新たな情報評価スコアを取得して、新たな情報評価スコアを初期の情報評価スコアから区別することができ、これにより、情報評価スコアに基づいてアナウンス情報をより客観的に評価することができる。
【００６５】
情報更新サブユニット１３４は、ランク付けされたアナウンス情報リスト内のアナウンス情報のランキング情報を、アナウンス情報の情報評価スコアと残りのアナウンス情報の各々の情報評価スコアとに基づいて更新するように構成される。更新した後、アナウンス情報が棚の外に出されるまで、情報取得ユニット１１に、次回の対話操作指示情報を取得するよう通知してよい。
【００６６】
本開示の実施形態では、ランク付けされたアナウンス情報リストから端末によって予めプルされたアナウンス情報に基づいて、端末によって対話型プラットフォーム上にアップロードされた対話操作指示情報が取得される。対話操作指示情報はアナウンス情報に関連付けられている。対話操作指示情報に対応する対話操作データが取得される。ランク付けされたアナウンス情報リスト内のアナウンス情報のランキング情報は、対話操作データに基づいて更新される。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。対話係数に基づいて得られる情報評価スコアを加算することにより、アナウンス情報がより客観的に評価される。
【００６７】
本開示の一実施形態に係る情報処理用デバイスを示す概略的な構造図である図５を参照する。図５に図示されるように、本開示の一実施形態に係る情報処理用デバイス１は、情報取得ユニット１１と、データ取得ユニット１２と、情報更新ユニット１３と、情報送信ユニット１４と、リスト生成ユニット１５と、識別子発見ユニット１６と、情報書込みユニット１７を含んでよい。
【００６８】
リスト生成ユニット１５は、プッシュするよう要求されるアナウンス情報を取得し、アナウンス情報のランク付けリストを生成するために、アナウンス情報の属性情報に基づいてアナウンス情報をソートしてランク付けするよう構成される。アナウンス情報は、所定のプッシュ条件と履歴評価属性値とを含む。
【００６９】
具体的な実装において、新たなアナウンス情報がプッシュされるよう要求される場合、リスト生成ユニット１５は、プッシュされるよう要求されたアナウンス情報を取得し、アナウンス情報をソートしてランク付けし、ランク付けされたアナウンス情報リストを生成することができる。属性情報は、所定のプッシュ条件と履歴評価属性値とを含む。所定のプッシュ条件は、例えば20歳から30歳までのユーザグループや男性のユーザグループといった、アナウンス情報がプッシュされることになる大まかに決定されるユーザグループを指す。履歴評価属性値は、アナウンス情報等の履歴クリック率として表される。実際には、新しいアナウンス情報については履歴クリック率等の履歴評価属性値は存在しないため、新しいアナウンス情報の属性情報は更に、アナウンス情報の入札価格等を含んでよい。リスト生成ユニット１５は、所定のプッシュ条件に基づいてアナウンス情報をソートし、履歴評価属性値と入札価格に基づいてアナウンス情報をランク付けし、最終的にランク付けされたアナウンス情報リストを生成する。ランク付けされたアナウンス情報リストは、アナウンス情報だけでなく、同じ又は近似した所定のプッシュ条件の下の他のアナウンス情報（以下、「残りアナウンス情報」と略記する）も含む。
【００７０】
情報送信ユニット１４は、端末からアナウンス情報のプル要求を取得し、ランク付けされたアナウンス情報リスト内のアナウンス情報のランキング情報に基づいて、アナウンス情報を端末に送信する。
【００７１】
具体的な実装では、情報送信ユニット１４は、端末からプル要求を取得し、ランク付けされたアナウンス情報リスト内のアナウンス情報のランキング情報に基づいて、端末にアナウンス情報を送信してもよい。ランキング情報は、プル確率及びランキング位置のうちの少なくとも一方を含むことができる。プル確率については、情報処理用デバイス１が、履歴評価属性値と入札価格とに基づいて、アナウンス情報の初期情報評価スコアを取得してもよい。あるいは、情報処理用デバイス１は、後に追加される対話操作指示情報に対応する対話操作データに基づき算出されるアナウンス情報の情報評価スコアに基づいて、又は初期情報評価スコアに基づいて、ランク付けされたアナウンス情報リスト内のアナウンス情報のスコアの占有割合を決定し、スコアの占有割合に基づいてアナウンス情報のプル確率を設定する。ランキング位置について、情報処理用デバイス１は、履歴評価属性値と入札価格とに基づいて、アナウンス情報の初期情報評価スコアを取得してもよい。あるいは、後に追加される対話操作指示情報に対応する対話操作データに基づき算出されるアナウンス情報の情報評価スコアに基づいて、又は初期情報評価スコアに基づいて、情報処理用デバイス１は、ランク付けされたアナウンス情報リスト内のアナウンス情報のスコアのランキングを決定し、ランキング位置を順次割り当てて、ランキング位置に基づいて端末によるアナウンス情報のプルする順番を決定する。プル確率及びランキング位置のために、情報処理用デバイス１は、履歴評価属性値及び入札価格に基づいて、アナウンス情報の初期情報評価スコアを取得してもよい。あるいは、後に追加される対話操作指示情報に対応する対話操作データに基づき算出されるアナウンス情報の情報評価スコアに基づいて、又は初期情報評価スコアに基づいて、情報処理用デバイス１は、ランク付けされたアナウンス情報リスト内のアナウンス情報のスコアのランキングを決定し、ランキング位置を順次割り当てて、ランキング位置に基づいてアナウンス情報のプル確率を設定する。例えばアナウンス情報が第１位にランク付けされている場合、プル確率は５０％あり、アナウンス情報が第２位にランク付けされている場合にはプル確率は３０％であり、他も同様である。プル確率は特に、アナウンス情報が端末によってプルされる可能性がある確率として表される。
【００７２】
情報取得ユニット１１は、ランク付けされたアナウンス情報リストから端末によって予めプルされたアナウンス情報に基づいて、対話型プラットフォーム上に端末によってアップロードされた対話操作指示情報を取得するように構成される。対話操作指示情報は、アナウンス情報に関連付けられる。
【００７３】
具体的な実装では、ランク付けされたアナウンス情報リストから端末によって予めプルされたアナウンス情報に基づいて、ユーザは、端末を介してアナウンス情報に対して対話操作を行うことができる。対話操作は、例えばアナウンス情報の下の所定の位置にコメントを入力すること、アナウンス情報の関心識別子を追加すること、アナウンス情報に関心を持つよう関心識別子をクリックすること等を含む。端末は、対話操作に基づいてアナウンス情報に関連付けられる対話操作指示情報を生成することができる。対話操作指示情報は、具体的には、ユーザによるアナウンス情報の対話操作に応答して生成される記録情報であってよい。例えばアナウンス情報の下の所定の位置にコメントを入力したことに応答して、１つのコメントの記録情報を生成してもよい。対話操作指示情報は、端末によって対話型プラットフォームにアップロードされてよく、端末によって対話型プラットフォーム上にアップロードされた対話操作指示情報は、情報取得ユニット１１によって取得されてもよい。
【００７４】
データ取得ユニット１２は、対話操作指示情報に対応する対話操作データを取得するように構成される。
【００７５】
具体的な実施形態では、データ取得ユニット１２は、対話操作指示情報に対応する対話操作データを取得してもよい。アナウンス情報に関連付けられる対話操作指示情報の各々は、対応する対話操作データを有することが理解されるべきである。例えばアナウンス情報の下の所定の位置にコメントを入力することに対応する対話操作データは、アナウンス情報の関心識別子を追加することに対応するものと同じである可能性がある。実際には、コメント及び関心識別子に対して異なる対話操作データを設定して、これらの重みを区別できるようにし、コメントに対応する対話操作データを、関心識別子に対応するものより大きくするべきである。
【００７６】
情報更新ユニット１３は、ランク付けされたアナウンス情報リスト内のアナウンス情報のランキング情報を対話操作データに基づいて更新する。
【００７７】
具体的な実装では、情報更新ユニット１３は、対話操作データに基づいて、ランク付けされたアナウンス情報リスト内のアナウンス情報のランキング情報を更新してもよい。さらに、情報更新ユニット１３は、対話操作データに基づいて、アナウンス情報の対話スコアを算出し、そのアナウンス情報以外のランク付けされたアナウンス情報リスト内の残りのアナウンス情報の各々の対話スコアを順次取得してもよい。情報更新ユニット１３は、アナウンス情報の対話スコア及び残りのアナウンス情報の各々の対話スコアに基づいて、アナウンス情報の対話係数を算出してもよい。情報更新ユニット１３は、アナウンス情報の対話係数と履歴評価属性値とに基づいて、アナウンス情報の情報評価スコアを算出してもよい。情報更新ユニット１３は、アナウンス情報の情報評価スコアと残りのアナウンス情報の各々の情報評価スコアとに基づいて、ランク付けされたアナウンス情報リスト内のアナウンス情報のランキング情報を更新してもよい。ランキング情報は、具体的には、アナウンス情報のプル確率及びランク付けされたリストにおけるアナウンス情報のランキング位置のうちの少なくとも一方を含むことができる。具体的には、プル確率は、アナウンス情報が端末によってプルされる可能性がある確率として表される。更新した後、情報送信ユニット１４は、アナウンス情報が棚の外に出されるまで、次回のアナウンス情報のプル要求を取得するように通知されてもよい。
【００７８】
具体的には、本開示の一実施形態に係る情報更新ユニットを示す概略的な構造図である図４を参照する。図４に示すように、情報更新ユニット１３は、スコア取得サブユニット１３１と、係数算出サブユニット１３２と、スコア算出サブユニット１３３と、情報更新サブユニット１３４と、識別子発見ユニット１６と、情報書込みユニット１７を含んでよい。
【００７９】
スコア取得サブユニット１３１は、対話操作データに基づいて、アナウンス情報の対話スコアを算出し、そのアナウンス情報以外のランク付けされたアナウンス情報リスト内の残りのアナウンス情報の各々の対話スコアを順次取得するように構成される。
【００８０】
具体的な実装では、スコア取得サブユニット１３１は、対話操作データに基づいてアナウンス情報の対話スコアを算出し、そのアナウンス情報以外のランク付けされたアナウンス情報リストにおける残りのアナウンス情報の各々の対話スコアを順次取得してよい。アナウンス情報は、複数の端末によって取得されてよいので、複数の端末を使用する複数のユーザが、アナウンス情報に対して別々に対話操作を実行してもよいことを理解されたい。したがって、データ取得ユニット１２は、対話操作指示情報に対して統計を行って、所定の間隔で全ての対話操作指示情報の統計値に対応する対話操作データの１つ以上を取得してもよく、あるいは対話操作指示情報を受信した後に、対応する対話操作データを取得してもよい。スコア取得サブユニット１３１は、取得した対話操作データの全てに対して集計処理を実行して、アナウンス情報の対話スコアを取得し、同様に、ランク付けされたアナウンス情報リスト内のアナウンス情報以外の残りのアナウンス情報の各々の対話スコアを取得してよい。
【００８１】
係数算出サブユニット１３２は、アナウンス情報の対話係数を、アナウンス情報の対話スコアと、残りのアナウンス情報の各々の対話スコアとに基づいて算出するように構成される。
【００８２】
具体的な実装では、係数算出サブユニット１３２は、アナウンス情報の対話係数を、アナウンス情報の対話スコアと、残りのアナウンス情報の各々の対話スコアとに基づいて算出する。例えばN件のアナウンス情報が存在する場合、アナウンス情報の対話スコアはそれぞれScore1，Score2，．．．，ScoreNであり、各アナウンス情報の対話係数δsnsは、
【数３】
0006522129.tif 000004
であってよい。
【００８３】
スコア算出サブユニット１３３は、アナウンス情報の対話係数と履歴評価属性値に基づいて、アナウンス情報の情報評価スコアを算出するように構成される。
【００８４】
具体的な実装では、スコア算出サブユニット１３３は、アナウンス情報の対話係数と履歴評価属性値に基づいて、アナウンス情報の情報評価スコアを算出する。好ましくは、情報評価スコア＝履歴評価属性値＊対話係数＋（入札価格）である。対話係数を追加することによって新たな情報評価スコアを取得して、新たな情報評価スコアを初期の情報評価スコアから区別することができ、これにより、情報評価スコアに基づいてアナウンス情報をより客観的に評価することができる。
【００８５】
情報更新サブユニット１３４は、ランク付けされたアナウンス情報リスト内のアナウンス情報のランキング情報を、アナウンス情報の情報評価スコアと残りのアナウンス情報の各々の情報評価スコアとに基づいて更新するように構成される。更新した後、アナウンス情報が棚の外に出されるまで、情報送信ユニット１４に、次回の対話操作指示情報を取得するよう通知してよい。
【００８６】
識別子発見ユニット１６は、対話操作指示情報内の第１のユーザ識別子を取得し、第１のユーザ識別子に関連付けられる第２のユーザ識別子を見つけ、第１のユーザ識別子は対話型プラットフォームにログインするように構成されている。
【００８７】
具体的な実装では、対話操作指示情報は更に、対話型プラットフォーム上でログインするために使用される第１のユーザ識別子を含んでよい。識別子発見ユニット１６は第１のユーザ識別子を取得し、該第１のユーザ識別子に関連付けられる第２のユーザ識別子を見つけることができる。第２のユーザ識別子も、対話型プラットフォーム上でログインするために使用されるユーザ識別子であることが理解されよう。第１のユーザ識別子及び第２のユーザ識別子は、友人関係のように予め互いに関連付けられるユーザ識別子であってよい。第２のユーザ識別子は、少なくとも１つのユーザ識別子を含むことができる。第１のユーザ識別子及び第２のユーザ識別子のそれぞれは、好ましくはユーザIDである。
【００８８】
情報書込みユニット１７は、対話操作指示情報を第２のユーザ識別子に対応する個人情報に書き込むように構成される。
【００８９】
具体的な実装では、情報書込みユニット１７は、対話操作指示情報を第２のユーザ識別子に対応する個人情報に書き込むことができる。個人情報は、好ましくは、第２のユーザ識別子を保持するユーザの情報、又は第２のユーザ識別子に応じて予め設定される情報記憶空間である。第２のユーザ識別子に対応する個人情報に対話操作指示情報を書き込むことにより、第２のユーザ識別子を用いて対話型プラットフォームにログインする際にユーザがアナウンス情報をプルすると、個人情報から操作指示情報を取得して表示することができる。端末を使用するユーザは、対話操作やクリック操作といった対話操作指示情報を介して、アナウンス情報に参加している友人の操作を知ることができ、その結果、ユーザによるアナウンス情報の信頼度を高めることができ、アナウンス情報のクリック率及び参加度が向上する。また、対話操作指示情報が、予め第２のユーザ識別子に対応する個人情報に書き込まれるので、第２のユーザ識別子で対話型プラットフォームにログイン可能な端末はアナウンス情報をプルする際に、第１のユーザ識別子によって、アナウンス情報に対して実行される履歴対話操作指示情報をオンラインで見つけて取得する必要なく、対話操作指示情報をオフラインで直接取得する。これにより、アナウンス情報に対応する対話操作指示情報を取得する効率が向上し、オンラインでの発見に必要なリソースが節約される。
【００９０】
本開示の実施形態では、ランク付けされたアナウンス情報リストから端末によって予めプルされたアナウンス情報に基づいて、端末によって対話型プラットフォーム上にアップロードされた対話操作指示情報が取得される。対話操作指示情報はアナウンス情報に関連付けられている。対話操作指示情報に対応する対話操作データが取得される。ランク付けされたアナウンス情報リスト内のアナウンス情報のランキング情報は、対話操作データに基づいて更新される。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。対話係数に基づいて得られる情報評価スコアを加算することにより、アナウンス情報がより客観的に評価される。第２のユーザ識別子に対応する個人情報に対話操作指示情報を書き込むことにより、第２のユーザ識別子を用いて対話型プラットフォームにログインする際にユーザがアナウンス情報をプルすると、操作指示情報を個人情報から取得して表示することができる。端末を使用するユーザは、対話操作指示情報を介してアナウンス情報に参加している友人の操作を知ることができるので、ユーザによるアナウンス情報の信頼性が高まり、アナウンス情報のクリック率及び参加度が改善される。
【００９１】
図６を参照すると、図６は本開示の実施形態に係る別の情報処理用デバイスを示す概略的な構造図である。図６に示すように、情報処理用デバイス１０００は、中央処理装置（CPU）のような少なくとも１つのプロセッサ１００１、少なくとも１つのネットワークインタフェース１００４、ユーザインタフェース１００３、メモリ１００５及び少なくとも１つの通信バス１００２を含むことができる。通信バス１００２は、これらのコンポーネント間の接続及び通信を実現するように構成される。ユーザインタフェース１００３は、ディスプレイ及びキーボードを含むことができる。オプションのユーザインタフェース１００３は、標準有線インタフェース及び無線インタフェースも含んでよい。ネットワークインタフェース１００４は、オプションとして、標準有線インタフェース及び無線インタフェース（例えばWI-FIインタフェース）を含むことができる。メモリ１００５は、高速ランダム・アクセス・メモリ（RAM）、又は少なくとも１つのディスク・メモリのような不揮発性メモリとすることができる。メモリ１００５は、オプションとして、プロセッサ１００１から遠くに位置する少なくとも１つの記憶装置も含むことができる。図６に示すように、コンピュータ記憶媒体の一種であるメモリ１００５は、オペレーティングシステム、ネットワーク通信モジュール、ユーザインタフェースモジュール及び情報処理アプリケーションを含む。
【００９２】
図６に示す情報処理用デバイス１０００において、ユーザインタフェース１００３は、主に、ユーザに入力を提供し、ユーザによって入力されたデータを取得するように構成される。プロセッサ１００１は、メモリ１００５に格納された情報処理アプリケーションを呼び出して、以下の動作を実行するように構成されてもよい：
【００９３】
ランク付けされたアナウンス情報リストから端末によって予めプッシュされたアナウンス情報に基づいて、端末によって対話型プラットフォーム上にアップロードされた対話操作指示情報を取得するステップであって、対話操作指示情報が対話操作データに関連付けられている、ステップ；
【００９４】
対話操作指示情報に対応する対話操作データを取得するステップ；
【００９５】
対話操作データに基づいて、ランク付けされたアナウンス情報リスト内のアナウンス情報のランキング情報を更新するステップ；
【００９６】
ここで、アナウンス情報は、ランキング情報に基づいてランク付けされたアナウンス情報リストから受動的にプルされ、ランキング情報は、プル確率及びランキング位置の少なくとも一方を含む。
【００９７】
実施形態では、端末によって予めプルされたアナウンス情報に基づいて、端末によって対話型プラットフォーム上にアップロードされた、アナウンス情報に関連付けられている対話操作指示情報を取得するステップの前に、プロセッサ１００１は以下の動作を更に実行する：
【００９８】
端末からアナウンス情報についてのプル要求（pulling  request）を取得するステップと、ランク付けされたアナウンス情報リスト内のアナウンス情報のランキング情報に基づいてアナウンス情報を端末に送信するステップであり、ランキング情報は、プル確率及びランキング位置の少なくとも一方を含む。
【００９９】
実施形態では、端末からアナウンス情報についてのプル要求を取得するステップと、ランク付けされたアナウンス情報リスト内のアナウンス情報のランキング情報に基づいてアナウンス情報を端末に送信するステップの前に、プロセッサ１００１は以下の動作を更に実行する：
【０１００】
プッシュするよう要求されるアナウンス情報を取得するステップと、ランク付けされたアナウンス情報リストを生成するために、アナウンス情報の属性情報に基づいてアナウンス情報をソートしてランク付けするステップであり、属性情報は、所定のプッシュ条件（predetermined  pushing  condition）と履歴評価属性値（historical  evaluation  attribute  value）を含む。
【０１０１】
実施形態では、プロセッサ１００１は、以下の動作を実行することにより、ランク付けされたアナウンス情報リスト内のアナウンス情報のランキング情報を、対話操作データに基づいて更新する：
【０１０２】
対話操作データに基づいてアナウンス情報の対話スコアを計算し、アナウンス情報以外のランク付けされたアナウンス情報リスト内の残りのアナウンス情報の各々の対話スコアを順次取得するステップ；
【０１０３】
アナウンス情報の対話スコアと残りのアナウンス情報の各々の対話スコアとに基づいて、アナウンス情報の対話係数を算出するステップ；
【０１０４】
アナウンス情報の対話係数と履歴評価属性値とに基づいて、アナウンス情報の情報評価スコアを算出するステップ；
【０１０５】
アナウンス情報の情報評価スコアと残りのアナウンス情報の各々の情報評価スコアとに基づいて、ランク付けされたアナウンス情報リスト内のアナウンス情報のランキング情報を更新するステップと；
【０１０６】
実施形態において、プロセッサ１００１は更に以下の動作を実行する：
【０１０７】
対話操作指示情報内の第１のユーザ識別子を取得し、第１のユーザ識別子に関連付けられる第２のユーザ識別子を見つけるステップであり、  第１のユーザ識別子は、対話型プラットフォームにログインするように構成される；
【０１０８】
第２のユーザ識別子に対応する個人情報に対話操作指示情報を書き込むステップ；
【０１０９】
本開示の諸実施形態では、ランク付けされたアナウンス情報リストから端末によって予めプルされたアナウンス情報に基づいて、端末によって対話型プラットフォーム上にアップロードされた対話操作指示情報が取得され、対話操作指示情報がアナウンス情報に関連付けられる。対話操作指示情報に対応する対話操作データが取得される。ランク付けされたアナウンス情報リスト内のアナウンス情報のランキング情報が、対話操作データに基づいて更新される。対話操作指示情報に対応する対話操作データが追加されて、対話操作データに基づいて、ランク付けされたアナウンス情報リスト内のアナウンス情報のランキング情報が更新され、これにより、ユーザの対話操作を利用することによりアナウンス情報のランキング情報に影響を与え、したがって、入札価格によりアナウンス情報のランク付けに影響を与える悪質な競争を回避する。さらに、アナウンス情報の効果が向上し、アナウンス情報のプッシュコストが低減され、アナウンス情報のプッシュ閾値が低下する。対話係数に基づいて得られる情報評価スコアを加算することにより、アナウンス情報がより客観的に評価される。第２のユーザ識別子に対応する個人情報に対話操作指示情報を書き込むことにより、第２のユーザ識別子を用いて対話型プラットフォームにログインする際にユーザがアナウンス情報をプルすると、操作指示情報を個人情報から取得して表示することができる。端末を使用するユーザは、対話操作指示情報を介してアナウンス情報に参加している友人の操作を知ることができるので、ユーザによるアナウンス情報の信頼性が高まり、アナウンス情報のクリック率及び参加度が改善される。
【０１１０】
当業者であれば、上記の実施形態による方法におけるプロセスの全部又は一部を、関連するハードウェアに指示することによってコンピュータプログラムを介して完了することができることを理解されたい。  プログラムがコンピュータ読取可能記憶媒体に格納されてもよく、そのプログラムが実行されるときに、上記実施形態に係る処理を含むことができる。  記憶媒体は、ハードディスク、光ディスク、ROM（Read-Only  Memory）又はRAM（Random  Access  Memory）等であってよい。
【０１１１】
上記で説明したことは、本開示の好ましい実施形態に過ぎず、本開示を規定することを意図するものではない。  したがって、本開示の請求項に基づいてなされる全ての均等物は本開示の保護の範囲内に含まれるべきである。
【図１】
0006522129.tif 000005
【図２】
0006522129.tif 000006
【図３】
0006522129.tif 000007
【図４】
0006522129.tif 000008
【図５】
0006522129.tif 000009
【図６】
0006522129.tif 000010